(57)【特許請求の範囲】
【請求項１】
スタビライザー枠の内側と、スタビライザー口蓋中心部を、上下に可動調節ができ、しかも調節した位置に保持するように係合させ、さらに、スタビライザー口蓋中心部と、スタビライザー口蓋中心部を覆う可動部が、前後に可動調節ができ、しかも調整した位置に保持するように係合することを特徴とする金属床義歯模型の複印象用フラスコ。
【請求項２】
スタビライザー枠の上部の雌ネジと、スタビライザー口蓋中心部の上部に、前記のネジに羅合する雄ネジを設けることにより、スタビライザー枠とスタビライザー口蓋中心部を、上下に可動調節ができ、しかも調節した位置に保持するように係合させ、さらに、スタビライザー口蓋中心部と、スタビライザー口蓋中心部を覆う可動部が、前後に可動調節ができ、しかも調整した位置に保持するように係合することを特徴とする金属床義歯模型の複印象用フラスコ。
【請求項３】
スタビライザー口蓋中心部、スタビライザー口蓋中心部を覆う可動部、前記の可動部の両側面に、それぞれ脱着可能な左側面部及び右側面部からなる、分割可能なスタビライザー口蓋部を設け、上下、前後に可動調節ができ、前記左側面部及び前記右側面部が、それぞれ大小組みかえ可能であり、しかも調節した位置に保持するように係合することを特徴とする請求項１または２に記載の金属床義歯模型の複印象用フラスコ。
【請求項４】
スタビライザー枠の側端面に、複数の調節ピンを出没自在に設け、前記調節ピンが、調節した位置に保持するように係合することを特徴とする請求項１〜３のいずれか１項に記載の金属床義歯模型の複印象用フラスコ。
【請求項５】
スタビライザー枠の上部に、脚を設けて、埋没材注入時にスタビライザー口蓋中心部の動きを自由にすることを特徴とする請求項１〜４のいずれか１項に記載の金属床義歯模型の複印象用フラスコ。
【請求項６】
金属床義歯模型の複印象用フラスコにて印象採得された陰型に、耐火模型作製のため、埋没材を注入する際に、縦方向と横方向の埋没材の膨張を調整するための、前記のフラスコが入る程度の大きさの膨張調節装置の底と、内側に金属床義歯模型の複印象に使用した物と同質の印象材が、金属床義歯模型とスタビライザーの間の厚みと同じ厚みで入るように、印象材の厚みを示す目盛りを設けた膨張調節装置の蓋を組み合わせて、膨張調節装置の調節ネジで調節し、しかも調節した位置に保持ができる膨張調節装置を有する請求項１〜５のいずれか１項に記載の金属床義歯模型の複印象用フラスコ。
【発明の詳細な説明】
【０００１】
【発明の属する技術分野】
本発明は、金属床義歯の石膏模型から、金属床義歯を作製する課程に必要な耐火模型を作製するため、金属床義歯の石膏模型を複印象する際に使用するフラスコに関する。
【０００２】
【従来の技術】
従来の金属床義歯模型の複印象用フラスコは、図４に示すように、スタビライザー口蓋部（３−１）とスタビライザー枠（３−２）を組み合わせたスタビライザー（３−３）、フラスコ枠（３−４）、フラスコ底（３−５）からなり、スタビライザー口蓋部（３−１）は、一体型であり、スタビライザー枠（３−２）に対して、全体として上下にのみスライド移動するものである。その使用方法は、フラスコ底（３−５）に金属床義歯の石膏模型を置き、その上にフラスコ枠（３−４）を組合せ、さらに、スタビライザー（３−３）をなるべく印象材の厚みが均一になるように組合せ、上になっているスタビライザー（３−３）側から印象材を流し込み、印象材が硬化した後で、天地を逆にし、フラスコ枠（３−４）とフラスコ底（３−５）を取り外し、石膏模型を抜き取る。できた印象材の陰型に埋没材を注入し、耐火模型を作製する。
【０００３】
【発明が解決しようとする課題】
従来の金属床義歯模型の複印象用フラスコは、スタビライザー口蓋部が、スタビライザー枠に対して、全体として上下にはスライド移動していたが、その上下の動きだけでは、印象材の厚みを均一にできないという問題があり、精密な印象が採りにくいため、正確な金属床義歯の耐火模型が作製しにくいという問題があった。また、スタビライザーは埋没材注入時には下になるため、埋没材注入時にスタビライザー口蓋中心部の動きを制限するという問題があった。さらに、埋没材は注入後、上（模型の底面）方向にのみ自由に膨張可能なため、上（模型の底面）方向に多く膨張がおき、模型の横方向への膨張が不足するという問題もあった。
【０００４】
本発明は、従来の金属床義歯模型の複印象用フラスコのスタビライザー口蓋部が、スタビライザー枠に対して、全体として上下に動くことを除いては、固定的なものであったのに対して、患者の口腔内に合わせた形に上下、前後、左右に調節ができること、調節ピンを設けること、並びに、埋没材注入時のスタビライザー口蓋部中心部の動きを自由にすることで、印象材の厚みを均一にでき、耐火模型底面部にも、同質、同厚の印象材の蓋をすることで、耐火模型の均等な膨張を得ることができ、耐火模型の精度を上げることを目的としている。
【０００５】
【問題を解決するための手段】
上記の目的を達成するために、本発明の金属床義歯模型の複印象用フラスコは、スタビライザー枠の内側と、スタビライザー口蓋中心部を、上下に可動調節ができ、しかも調節した位置に保持するように係合させる。または、スタビライザー枠の上部の雌ネジと、スタビライザー口蓋中心部の上部に、前記のネジに羅合する雄ネジを設けることにより、スタビライザー枠とスタビライザー口蓋中心部を、上下に可動調節ができ、しかも調節した位置に保持するように係合させ、さらに、スタビライザー口蓋中心部と、スタビライザー口蓋中心部を覆う可動部が、前後に可動調節ができ、しかも調整した位置に保持するように係合することを特徴とする。さらに、スタビライザー口蓋中心部、スタビライザー口蓋中心部を覆う可動部、前記の可動部の両側面に、それぞれ脱着可能な左側面部及び右側面部からなる、分割可能なスタビライザー口蓋部を設け、上下、前後、左右に可動調節ができ、しかも調節した位置に保持するように係合することを特徴とする。
【０００６】
【発明の実施の形態】
発明の実施の形態を実施例にもとづき図面を参照して説明する。
図１は、金属床義歯模型の複印象用フラスコの斜視図である。
図１において、スタビライザー枠（１）の内側に、凸部（１ａ）を取り付け、これに係合するように、スタビライザー口蓋中心部（４）に、凹部（４ａ）を設けると、凹部（４ａ）の係合加減で、上下に可動調節ができ、しかも調節した位置に保持することができる。さらに、スタビライザー口蓋中心部（４）の左右側面に、溝（４ｂ）を設け、スタビライザー口蓋中心部を覆う可動部（５）の内側に設けたレール（５ａ）と、前後に可動調節できるように係合すると、前後の動きも調整でき、しかも調節した位置に保持することができる。
【０００７】
スタビライザー口蓋中心部（４）、スタビライザー口蓋中心部を覆う可動部（５）、大きめの右調節式側面部（６）、大きめ左調節式側面部（７）、小さめの右調節式側面部（８）、小さめの左調節式側面部（９）に分ける。スタビライザー口蓋中心部を覆う可動部（５）の左右の外側に凹部を設け、患者の口蓋の形態に合わせて、上下、前後、適当な位置に、大きめ右調節式側面部（６）、あるいは小さめの右調節式側面部（８）の凸部を向かって右に係合させ、大きめの左調節式側面部（７）、あるいは小さめの左調節式側面部（９）の凸部を向かって左に係合させると、口蓋部分の形や広さを左右に調節でき、しかも調節した位置に保持することができる。また、大きめの左右調節式側面部の（７）（６）、小さめの左右調節式側面部の（９）（８）の前後の係合の位置により、口蓋部分の形や広さを前後に調節でき、しかも調節した位置に保持することができる。さらに、上下の係合加減で、口蓋部分の深さを調節でき、しかも調節した位置に保持することができる。
【０００８】
スタビライザー枠（１）の側端面に、複数の出没自在の調節ピン（２）を係合させる。それぞれの係合部は、可動調節機能を持ち、しかも調節した位置に保持することができるため、残存歯と歯肉の形態に合わせて調整できる。このことにより、印象材の厚みを均一にでき、耐火模型の均等な膨張を得ることができ、耐火模型の精度を上げることができる。加えて、クラスプ（義歯を止めるバネ）の精度を上げることができ、金属床の適合をよりよくできる。
【０００９】
スタビライザー枠（１）の上部に脚（３）を設ける。スタビライザー（１６）は、埋没材注入時には下になってしまうので、スタビライザ枠（１）の上部に脚（３）を設けることで、埋没材を注入する時に、スタビライザー口蓋中心部（４）の調整範囲を自由にできる。
【００１０】
図２は、スタビライザー枠とスタビライザー口蓋中心部を、ネジで羅合させて、係合させる設計にした場合の斜視図である。
図２は、スタビライザーの上部に設けた雌ネジ（１２）と、雄ネジ（１４）付きスタビライザー口蓋中心部（１３）とを羅合させて、スタビライザー枠（２−１）と前記口蓋中心部（１３）を係合させる設計である。ネジの締め加減で、口蓋部分の上下の動きを調整できる。しかも、調整した位置に保持することができる。
【００１１】
図３は、膨張調節装置の斜視図である。
図３は、金属床義歯模型の複印象用フラスコにて印象採得された陰型に、耐火模型作製のため、埋没材を注入する際に、縦方向と横方向の埋没材の膨張を調整するための、前記のフラスコが入る程度の大きさの膨張調節装置の底（１８）と、内側に金属床義歯模型の複印象に使用した物と同質の印象材が、同じ厚みで入るように、印象材の厚みを示す目盛りを設けた膨張調節装置の蓋（１７）を組み合わせて、膨張調節装置の調節ネジ（１９）で調節し、しかも調節した位置に保持することができる膨張調節装置を設けたものである。
【００１２】
【発明の効果】
本発明は、従来の金属床義歯模型の複印象用フラスコのスタビライザー口蓋部が、スタビライザー枠に対して、上下に動くことを除いては、固定的なものであったのに対して、発明の上記のように構成された金属床義歯模型の複印象用フラスコを使用することで、元来、１０人１０色の患者の歯並び、とりわけ義歯を必要とする患者のかなり変則的な歯並び、残存歯の位置、口の大きさや口蓋の形態であっても、分割されたスタビライザー口蓋部が、自由に組合せられるので、その患者の口腔内に合わせた調節ができ、より精密な印象採得が可能となる。その上、膨張調節装置を設けたことで、耐火模型を作製する際に埋没材の膨張を調節できるようになり、耐火模型の均等な膨張を得ることができ、さらに耐火模型の精度を上げることができる。
【図面の簡単な説明】
【図１】金属床義歯模型の複印象用フラスコの斜視図である。
【  図２】スタビライザー枠とスタビライザー口蓋中心部を、ネジで羅合させて、係合させる設計にした場合の斜視図である。
【図３】膨張調節装置の斜視図である。
【図４】従来の金属床義歯模型の複印象用フラスコの斜視図である。
【付号の説明】
１      スタビライザー枠
１ａ      凸部
２      調節ピン
３      脚
４      スタビライザー口蓋中心部
４ａ      凹部
４ｂ      溝
５      スタビライザー口蓋中心部を覆う可動部
５ａ      レール
６      大きめの右調節式側面部
７      大きめの左調節式側面部
８      小さめの右調節式側面部
９      小さめの左調節式側面部
１０      フラスコ枠
１１      フラスコ底
２−１      図２のスタビライザー枠
１２      雌ネジ
１３      雄ネジ付きスタビライザー口蓋中心部
１４      雄ネジ
１５      ４、５、６、８を係合した図
１６      スタビライザー
１７      膨張調節装置の蓋
１８      膨張調節装置の底
１９      膨張調節装置の調節ネジ
３−１      従来品のスタビライザー口蓋部
３−２      従来品のスタビライザー枠
３−３      従来品のスタビライザー
３−４      従来品のフラスコ枠
３−５      従来品のフラスコ底
【図１】
0004161154.tif 000002
【図２】
0004161154.tif 000003
【図３】
0004161154.tif 000004
【図４】
0004161154.tif 000005